(57)【要約】【課題】  ２枚の透明板を用いる透明板構造体において、結露による視認性の低下を防止する。【解決手段】  透明板構造体１０の２枚のガラス板１４の内側面１４ａには酸化チタンを含む被膜を設けてあるので、２枚のガラス板１４と枠体１２とで囲まれた空間内の水分が凝結してガラス板１４の内側面１４ａに付着しても、この酸化チタンの超親水性により水の接触角がほぼ０度になってしまい、水はガラス板１４の内側面１４ａを濡らして膜状に広がってしまうから水滴が形成されない。従って、水分がレンズとして作用することがなく、遊技領域の視認性が低下する等の視覚上の障害は発生しない。【選択図】  図２
2007098011.tif 000002
【特許請求の範囲】
【請求項１】
間隔をおいて対面配置された２枚の透明板と、それらの外周部分が固着される枠体とからなり、遊技盤の前方に配されるパチンコ機用の透明板構造体において、
前記透明板の内側面に酸化チタンを含む被膜を設けて、該酸化チタンの超親水性により水滴の生成を阻む
ことを特徴とする弾球遊技機用の透明板構造体。
【請求項２】
前記２枚の透明板と枠体とによって囲まれる空間は密閉されている
ことを特徴とする請求項１記載の弾球遊技機用の透明板構造体。
【請求項３】
前記２枚の透明板と枠体とによって囲まれる空間は、前記枠体に設けられた通気口のみで外気と連通している
ことを特徴とする請求項１記載の弾球遊技機用の透明板構造体。
【請求項４】
前記２枚の透明板の一方はガラス板、他方はプラスチック板である
ことを特徴とする請求項１、２又は３記載の弾球遊技機用の透明板構造体。
【発明の詳細な説明】
【技術分野】
【０００１】
本発明は、弾球遊技機の技術分野に属する。
【背景技術】
【０００２】
パチンコ機等の弾球遊技機は、遊技盤に対面状に配置されて遊技盤との間に遊技領域を形成するための透明板（通常はガラス板）を備えている。そして、いわゆるゴトに対する耐性を高めること等を目的として、上述の透明板の前方にもう１枚の透明板を配置している。つまり、２枚の透明板を備えている。
【０００３】
また、その２枚の透明板の外周部分を枠体に固着させて一体化した構造体を用いることもあり、例えば実公平６−３０２２４号公報（特許文献１）に開示されている。
ところが、特許文献１に開示の構造であると２枚の透明板の間に形成される空間が密閉空間となるので、結露の問題がある。
【０００４】
そのため、特許文献１の技術では、枠体に設けられた中空部に吸湿材を封入し、その中空部と上記の密閉空間とを連通させることで、吸湿材にて結露を防止している。
また、特開２００３−９０６号公報（特許文献２）には、上記の密閉空間内に乾燥した乾燥気体を密封することで結露を防止する技術が開示されている。
【特許文献１】実公平６−３０２２４号公報
【特許文献２】特開２００３−９０６号公報
【発明の開示】
【発明が解決しようとする課題】
【０００５】
しかしながら、特許文献１の技術には、枠体に吸湿材を封入する必要から、枠体の構造が複雑化し、組立工程もそれに応じて複雑化するという問題があった。
また、吸湿材の保管状況や組付作業時の環境によっては、簡単に吸湿材が吸湿してしまうので、吸湿材が十分な結露防止機能を果たせないおそれもあった。
【０００６】
一方、特許文献２の技術は、吸湿材に関係する問題は存在しないが、炭酸ガスや窒素ガス等の乾燥気体を注入して封止するための弾性弁等を必要とするので、構造が複雑である点は解消されてはいない。また、炭酸ガス等の乾燥気体を必要とすることはもとより、炭酸ガス等を扱うための設備を新設しなければならないという問題もある。
【課題を解決するための手段】
【０００７】
請求項１記載の弾球遊技機用の透明板構造体は、間隔をおいて対面配置された２枚の透明板と、それらの外周部分が固着される枠体とからなり、遊技盤の前方に配されるパチンコ機用の透明板構造体において、前記透明板の内側面に酸化チタンを含む被膜を設けて、該酸化チタンの超親水性により水滴の生成を阻むことを特徴とする。
【０００８】
この弾球遊技機用の透明板構造体は、間隔をおいて対面配置された２枚の透明板と、それらの外周部分が固着される枠体とからなり、遊技盤の前方で扉状に開閉される枠（前面枠、ガラス枠などと呼ばれることが多い。）に装着され、この枠を閉じたときに遊技盤の前方に位置して、内側（遊技盤側）の透明板と遊技盤との間に遊技領域を形成する。
【０００９】
これら２枚の透明板の内側面（互いに対面させている面）には酸化チタンを含む被膜を設けてあるので、２枚の透明板と枠体とで囲まれた空間内の水分が凝結して透明板に付着しても、この酸化チタンの超親水性により水の接触角がほぼ０度になってしまい、水は透明板の内側面を濡らして膜状に広がってしまうから水滴が形成されない。
【００１０】
透明板の表面に酸化チタンを含む皮膜（酸化チタン１００％でもよい）を設ける手法には特段の制約はないが、酸化チタンを含む皮膜は光触媒として公知であるので、光触媒としての被膜形成方法を適用すればよい。光触媒として販売されている、酸化チタンを含むコーティング剤を使用してもよい。
【００１１】
なお、酸化チタン被膜に超親水性を発現させるには紫外線の照射が必要になる。しかし、これは遊技店の照明用の蛍光灯に由来する紫外線で十分である。また、一度この状態になれば数十時間は継続するので、常時紫外線を照射する必要はない。
【００１２】
透明板の結露が問題になるのは、遊技領域の視認性が低下することや見た目がよろしくない点にあるが、これらは水滴による光の屈折が原因である。例えば、水滴が微小であれば透過した光が拡散するだけなので、単位面積当たりの水滴の密度がある程度以上に高ければ曇って見える。一方、水滴のサイズが大きくなれば、凸レンズとしての作用が顕現してくる。
【００１３】
しかし、請求項１記載の弾球遊技機用の透明板構造体では、透明板の内側面に付着した水分が水滴にならずに平坦に広がるので、水分がレンズとして作用することがなく、遊技領域の視認性が低下する等の視覚上の障害は発生しない。
【００１４】
従って、吸湿材を封入する必要もなければ、炭酸ガス等の乾燥気体を封入する必要もない。よって、特許文献１、２に存する問題を解消できる。
２枚の透明板と枠体とによって囲まれる空間は、部屋などに比べればきわめて小さなものであるから、そこに含まれる水分量も少なく、請求項２記載のように、密閉されていてもよいし、請求項３記載のように、枠体に設けられた通気口のみで外気と連通している構成でもよい。
【００１５】
請求項２記載のように密閉する場合、特許文献２の技術を採用してもよいが、空調の効いた（湿度が高くない）作業環境で密閉すれば十分である。
一方、請求項３記載のように、枠体に設けられた通気口のみで外気と連通させておけば、たとえ水分が透明板に付着してもやがて乾いてしまう。一般に遊技店は十分に空調されているので、乾きは速い。
【００１６】
また、請求項２又は３の構成にすれば、ほこりなどが透明板の間に入り込むのを防止できる。このほこりなどの侵入防止効果は、請求項２なら完全である。請求項３の構成でも、通気口から侵入できるのは極めて小さい浮遊物などであるから、酸化チタンの周知の光触媒としての機能で清浄化できる。
【００１７】
請求項４記載の弾球遊技機用の透明板構造体では、２枚の透明板の一方をガラス板、他方をプラスチック板にしている。
これは、遊技領域を形成するための透明板は、表面の摩擦が小さく、また耐擦過性に優れていることから、プラスチック板よりもガラス板とするのが好ましく、外側（遊技者側）は、割れ難く、割れた場合の危険性が小さいこと、軽量化が可能等の利点から、ガラス板よりもプラスチック板の方が好ましいからである。勿論、２枚ともガラス板にできるし、２枚ともプラスチック板にすることもできる。
【発明を実施するための最良の形態】
【００１８】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、透明板構造体１０は、合成樹脂製の枠体１２及び互いにほぼ平行に配されて枠体１２保持された一対の透明なガラス板１４にて構成される。
【００１９】
枠体１２はほぼ正方形の額縁状であり、それぞれが射出成形品である上下一対の横枠１５、１６及び左右一対の縦枠１７、１８の４パーツからなっている。横枠１５、１６には直角のコーナー部を形成する一対の連結腕１５ａ、１６ａが備わっており、各連結腕１５ａ、１６ａの端部と直線状の縦枠１７、１８の端部とを接着（本実施例では溶着）することで図示のような額縁状の構造体とされている。
【００２０】
図２に示すように、枠体１２の内周側には２条の嵌合溝２０が設けられており、ガラス板１４の外周部が嵌合溝２０に嵌合されて、接着剤によって枠体１２（横枠１５、１６及び縦枠１７、１８）と接着されている。
【００２１】
嵌合溝２０が設けられているレール部２１は断面コの字状であり、互いの内周部同士を横設部２７によって連結されている。また、両方のレール部２１と横設部２７とによって形成される溝状の部分には、複数の補強リブ２６が設けられている。
【００２２】
ガラス板１４の内側面（互いに対面させている面）１４ａには酸化チタンを含む被膜を設けてある。
この透明板構造体１０は、パチンコ遊技機の例えば前枠に装着されて遊技盤の前方に配置され、内側になるガラス板１４と遊技盤との間に遊技領域となる空間を形成するために使用される。したがって、枠体１２の外周形状及び寸法は、透明板構造体１０が装着されるパチンコ遊技機の透明板構造体１０を保持するための構成に応じた形状や寸法とされるものである。また、必要に応じて、装着用の突起やリブ等が枠体１２の外周に設けられることがある。
【００２３】
この透明板構造体１０の組み立ては次のように行われる。
まず、図３に示すように、例えば横枠１５、１６の一方（この例では横枠１６）の連結腕１６ａと縦枠１７、１８の下端とを接着してコの字状にし、開放状態になっている縦枠１７、１８間からガラス板１４を挿入して、横枠１６及び縦枠１７、１８の嵌合溝２０にガラス板１４の端部を嵌合させ接着する。次に、枠体１２の上辺になる横枠１５の嵌合溝２０にガラス板１４の端部を嵌合させて接着し、横枠１５の連結腕１５ａと縦枠１７、１８の上端も接着する。接着剤が固化すれば透明板構造体１０が完成する。
【００２４】
この透明板構造体１０では、２枚のガラス板１４の内側面１４ａには酸化チタンを含む被膜を設けてあるので、２枚のガラス板１４と枠体１２とで囲まれた空間内の水分が凝結してガラス板１４の内側面１４ａに付着しても、この酸化チタンの超親水性により水の接触角がほぼ０度になってしまい、水はガラス板１４の内側面１４ａを濡らして膜状に広がってしまうから水滴が形成されない。ガラス板１４の内側面１４ａに付着した水分が水滴にならずに平坦に広がるので、水分がレンズとして作用することがなく、遊技領域の視認性が低下する等の視覚上の障害は発生しない。従って、吸湿材を封入する必要もなければ、炭酸ガス等の乾燥気体を封入する必要もない。
【００２５】
２枚のガラス板１４と枠体１２とによって囲まれる空間は、部屋などに比べればきわめて小さなものであるから、そこに含まれる水分量も少なく、本実施例のように密閉されていても問題はない。
［変形例１］
図４に示すように、枠体１２に小径の通気口２２を設けてこの通気口２２のみで外気と連通している構成にしてもよい。この構成であると、たとえ水分がガラス板１４に付着しても、通気口２２を介して外気と通じているのでやがて乾いてしまう。一般に遊技店は十分に空調されているので、乾きは速い。
［変形例２］
図示は省略するが、２枚のガラス板１４の一方を例えばアクリル、ポリカーボネート等の透明なプラスチック板にしてもよい。こうすれば、遊技領域を形成するための透明板は、表面の摩擦が小さく、また耐擦過性に優れているガラス板１４とし、外側（遊技者側）は、割れ難く、割れた場合の危険性が小さく、軽量化が可能なプラスチック板にできる。
［変形例３］
図５に示すように、枠体１２に、嵌合溝２０ではなく、段差状のはめ込み部２３を設けた構成にすることもできる。
【００２６】
このようにすれば、ガラス板１４のはめ付けを枠体１２の軸方向に沿って、つまり表裏から行えるので、枠体１２は図３に示す分割構造にする必要がなくなる。つまり、枠体１２を１個の成形品にできるので、枠体１２の製造工程が単純になる。また、透明板構造体１０の組み立て工程も、枠体１２にガラス板１４をはめ付けて接着するだけでよいから単純になる。
【図面の簡単な説明】
【００２７】
【図１】実施例の透明板構造体の正面図。
【図２】実施例の透明板構造体の縦断面図。
【図３】実施例の透明板構造体の組み立て手順の説明図。
【図４】変形例１の透明板構造体の説明図。
【図５】変形例３の透明板構造体の説明図。
【符号の説明】
【００２８】
１０・・・透明板構造体、
１２・・・枠体、
１４・・・ガラス板、
１４ａ・・・内側面。
【図１】
2007098011.tif 000003
【図２】
2007098011.tif 000004
【図３】
2007098011.tif 000005
【図４】
2007098011.tif 000006
【図５】
2007098011.tif 000007